【事件の表示】
　特願２００４−　３８８７１「携帯端末機のメッカ方向コンパス表示装置」拒絶査定不服審判事件〔平成１６年１２月２４日出願公開、特開２００４−３６１９１８〕について、次のとおり審決する。
【結　論】
　本件審判の請求は、成り立たない。
【理　由】
１　手続の経緯
　本願は、平成１６年２月１６日（パリ条約による優先権主張　２００３年５月３０日、大韓民国、２００３年９月９日、大韓民国）に特許出願したものであって、平成１８年２月２８日付けで手続補正がなされたが、同年７月１０日付けで拒絶査定がなされ、これに対し、同年１０月１６日に拒絶査定不服審判の請求がなされ、同年１１月１５日付けで手続補正がなされた後、当審において、平成２１年４月２３日付けで拒絶理由が通知され、同年８月１２日付けで手続補正がなされたものである。
　
２　本願発明
　本願の請求項に係る発明は、平成２１年８月１２日付け手続補正後の特許請求の範囲の請求項１ないし２に記載された事項により特定されるとおりのものと認められるところ、請求項１に係る発明は、次のとおりのものである。
　
「　携帯端末機に位置情報、制御命令を入力するキーボード部と、
　前記キーボード部から位置情報、制御命令を入力し、その後解析し、前記携帯端末機の各機能部を監視（ｍｏｎｉｔｏｒ）及び制御することで、メッカ（Ｍｅｃｃａ）方向を演算して出力する制御部と、
　前記制御部の制御によって地名別位置情報、電子地図情報、及びメッカ位置情報を記録、保存、及び出力するメモリ部と、
　前記制御部の制御によって現在位置の地磁気をリアルタイム測定して現在位置における方位情報を演算し、出力する地磁気部と、
　前記制御部から入力される現在の位置情報、及びメッカ位置情報を演算してメッカの方向情報を演算し、メッカ方向を出力する方向演算部と、
　前記地磁気部で演算した現在位置における前記方位情報、及び前記方向演算部で演算したメッカ方向情報を入力し、コンパス方位点に従った動的情報にメッカ方向を付加して出力するコンパス演算部と、
　前記制御部の制御によってメッカ位置の前記コンパス方位点（ｃｏｍｐａｓｓ　ｐｏｉｎｔ）の表示、及び携帯端末機の運用情報を表示する表示部とを含んで構成され、
　前記表示部は、前記制御部の制御によってメッカ方向を相対的固定方位にて表示するか、又はリアルタイム動的コンパス方位点表示にて表示することを特徴とする携帯端末機のメッカ方向コンパス表示装置。」（以下「本願発明」という。）
　
３　刊行物の記載
（１）当審における拒絶理由通知に引用された、本願の優先日前に頒布された刊行物である特開２００２−１４２９６３号公報（以下「刊行物１」という。）には、以下の記載がある（下線は、審決で付した。以下同じ。）。
　
　ア「【請求項１】  
人工衛星からの情報を利用して自分の現在位置を測定するＧＰＳ現在位置測定部と、地磁気を検出して方位を測定する磁気コンパス方位測定部と、時刻を計時する時計回路部を有する電子装置において、
前記ＧＰＳ現在位置測定部で得られた現在位置のデータを基に、イスラム教徒の５回の礼拝時刻を所定の規則により計算する礼拝時刻算出手段と、
前記算出した礼拝時刻を表示する礼拝時刻表示手段と、
前記算出した礼拝時刻の所定時間前に、礼拝の時刻に近づいたことを報知する礼拝時刻事前報知手段と
前記ＧＰＳ現在位置測定部及び前記磁気コンパス方位測定部で得られた現在位置のデータ及び方位データを基に、現在の位置からのサウジアラビアのメッカの方角を求めるメッカ方角算出手段と
前記求めたメッカの方角を表示するメッカ方角表示手段とを備えたことを特徴とするイスラム礼拝用電子装置。
・・・
【請求項４】  
請求項１記載のイスラム礼拝用電子装置が、携帯電話と組み合わされて構成されている
　
　イ　「【００１９】
【発明の実施の形態】図１は、本発明の実施の形態のブロック構成を示す図である。図１において、１は装置全体を制御する統括制御部、２は人工衛星からの情報を利用して自分の現在位置を測定するＧＰＳ現在位置測定部（ＧＰＳ：グローバル・ポジショニング・システム）、２ａは誘電体チップアンテナを使用したＧＰＳ用アンテナ、３はＭＲ素子(磁気抵抗素子)を利用した磁気コンパス方位測定部、４は時刻を計時する時計回路部、５はイスラムデータ処理部、６は現在位置のデータからその位置の都市名を抽出する都市名情報抽出部を示している。また、イスラムデータ処理部５内には、礼拝時刻算出手段５ａ、礼拝時刻表示手段５ｂ、礼拝時刻事前報知手段５ｃ、メッカ方角算出手段５ｄ、メッカ方角表示手段５ｅが設けられている。
・・・
【００２４】以下、図１を基に、本発明のイスラム礼拝用電子装置の実施の形態の動作について説明する。
【００２５】（１）最初に、この装置の購入時（場合によっては電池交換時やその他必要な時に）に、現在所在している場所の現地時刻を、時計回路部４にセットする。以降、この装置は時計としても機能する。
【００２６】（２）その後、
ＧＰＳ現在位置測定部２により、現在所在する場所の「緯度」、「経度」及び「海抜」のデータが得られる。
・・・
【００４４】（３）次に、
磁気コンパス方位測定部３から得られる方位データから、このイスラム礼拝用電子装置の現在の向きを割り出す。
【００４５】（４）そして、
メッカ方角算出手段５ｄにより、「電子装置の現在の向きのデータ」と、「現在位置地の緯度、経度」、及び「メッカの緯度、経度（予め記憶している）」のデータから、メッカの方角を求める。
【００４６】（５）そして、
メッカ方角表示手段５ｅにより、メッカの方角を表示する。具体例としては、図２に示すようなメッカの方向指示マーク１４により、メッカの方向を表示する。なお、この方向指示マーク１４は、このコンパクト時計１１を水平に回転しても、自動的にメッカの方角を指示するように動く。
【００４７】（６）また、所望の場合には、
位置データ「緯度、経度」に対応した都市名を記憶している都市名情報抽出部６を追加し、ＧＰＳ現在位置測定部２で得られた位置データから、その位置データに対応する都市名を抽出して表示する
　
　ウ　「【００６９】図４は、本発明の第３の実施例を示す図であり、本イスラム礼拝用電子装置を携帯電話に組み込んだものである。なお、この例では、通常の携帯電話としての機能の説明は省略し、本発明に関係する部分についてのみ説明する。
【００７０】図４において、
３１はイスラム礼拝用の携帯電話、３２ａはＧＰＳ用アンテナ、３２ｂは携帯電話用アンテナ、３３は液晶表示画面、３４はメッカの方向表示部、３４ａはメッカの方向を示すメッカの方向指示マーク（３６０度回転する）、３５は現在位置表示部、３６は日付と時刻表示部、３７は礼拝時刻表示部、３８は礼拝時間表示キー、３９はＧＰＳデータ読込キー
【００７１】図４を基に、本発明の第３の実施例の動作について説明する。
【００７２】（１）この装置の購入時（または電池交換時など必要に応じて）に、携帯電話の操作キーを使用して、現在の時刻と日付をセットする。
【００７３】（２）次に、この携帯電話３１を、イスラム礼拝用電子装置として機能させるために、
礼拝時間表示キー３８を押して、液晶表示画面３３を、携帯電話用画面から、図４に示すイスラム礼拝用画面に切り替える。
【００７４】（３）
現在の時刻をセットした場合や、ＧＰＳデータ読込キー３９を押した場合にＧＰＳ現在位置測定部２（図１参照）が起動し、地球上での現在の位置データ「緯度、経度、海抜」が読み込まれる。
【００７５】（４）
ＧＰＳ位置判定部３から得られた位置データ「緯度、経度、海抜」により、現在の位置を現在位置表示部３５に表示する。この場合、「緯度、経度」を基に、都市名情報抽出部６（図１を参照）を使用して、該当する位置の都市名を抽出し、現在位置表示部３５に表示する
【００７６】（５）次に、「緯度、経度、海抜」のデータを基に、礼拝時刻算出手段５ａ（図１参照）により礼拝時刻「ファジル、ズフル、アスル（シャフィ又はハナフィ）、マグリブ（日の入）、イシャー」を求める。それら礼拝時刻を礼拝時刻表示部３７に表示する。
【００７７】（６）礼拝時刻の５分前（任意に設定できる）になった時、携帯電話を鳴らして、礼拝の時刻が近づいたことを知らせる。
【００７８】（７）また、
メッカ方角算出手段５ｄ（図１参照）により、「現在の位置データ」、「方位データ」及び「メッカの位置データ」から、メッカの方向を求め、メッカの方向表示部３４のメッカの方向指示マーク３４ａをメッカの方向に向けて表示させる。なおこのメッカの方向指示マーク３４ａは３６０度回転し、この携帯電話を水平にして回すと、メッカの方向表示マーク３４ａも自動的に回転し常にメッカの方向を指示するように動く。
【００８０】（９）また、本装置を持って、時差のある国へ移動した場合は、ＧＰＳデータ読込キー３９を押してＧＰＳ現在位置測定部２を起動すると、現在の位置データを読み込み、前の位置データと比較して自動的に時差の補正を行う。その他、より正確を期すために、時差のある国へ移動した時に現地時刻をセットし、ＧＰＳ現在位置測定部２を自動起動させ、現在位置のデータを新たに読み込むこともできる。この方法は、この装置の動作確認も合わせてできることになり推奨される。」
　
　エ　「【００８１】図５は、本発明の第４の実施例を示す図であり、本イスラム礼拝用電子装置を卓上時計に組み込んだものである。なお、この例では、通常の時計としての操作スイッチ等は省略し、本発明に関係する部分についてのみ示している。
・・・
【００８８】（５）また、メッカ方角算出手段５ｄ（図１参照）により、「現在の位置データ」、「方位データ」及び「メッカの位置データ」から、メッカの方向を求め、メッカの方向表示部４５に表示する。なおこの
メッカの方向表示部４５のメッカの方向指示マーク４５ａは３６０度回転し、東西南北のどの方向にメッカがあるかを指示する。
　
　オ　図４から、携帯電話３１には、礼拝時間表示キー３８及びＧＰＳデータ読込キー３９のほか、携帯電話が通常備えるキーボード部が設けられること、イスラム礼拝用画面には、メッカの方向表示部３４、現在位置表示部３５、日付と時刻表示部３６及び礼拝時刻表示部３７が表示され、メッカの方向表示部３４には、メッカの方向を示すメッカの方向指示マーク３４ａが表示されることがみてとれる。
 　 
（２）同じく実公平０７−０４３６７０号公報（以下「刊行物２」という。）には、以下の記載がある。
　
「［考案の技術分野］
この考案は、例えばイスラム教の拝礼の時刻に
メッカの方角を表示する電子時計
「第１図は前記実施例の電子腕時計の外観図である。図示するように、この電子腕時計は、ケース本体11と、このケース本体11に夫々一体に設けられた時計バンド12とから成る。そしてケース本体11上には時刻を数字で表示したり、また、この時刻表示の囲りにイスラム教の拝礼時刻になると、時計の使用者のいる都市に対するメッカの方角をメッカのマーク表示体13Aを備えた表示部13が設けられ、また前記都市名や、修正時刻などを所定操作で入力するスイッチ14A〜14Dがケース本体11の側部に設けられている。なお、前記マーク表示体13Aは、表示部13内に環状に所定間隔をおいて複数設けられている。
またケース本体11内には、第２図に示す時計回路やメッカの方角を算出する回路、表示駆動回路、また拝礼時刻やアラーム時刻を放音するブザーとその駆動回路等が設けられている。」（２頁第４欄１６行〜３０行）、
「一方、ホール素子方位計32はホール素子等から成り、地磁気を検出して得られるアナログ出力をパルス信号に変換し、方位演算回路33に与える。方位演算回路33はこの与えられたパルス信号から北を表わす方位データｄを算出し、前記方位演算回路31に与える。
また、
キー入力回路34は前記スイッチ14A〜14D等から成り、その所定スイッチの操作出力は制御回路35を介し都市データメモリ36に与えられて時計使用者のいる都市を指定する。
方位演算回路31は前記方位算出命令ｃ、方位データｄ、都市データｅを受けてメッカの方向を演算し、それを得るとメッカマーク表示命令ｆを表示駆動回路26に出力し、表示装置27に与える。表示装置27ではこれに基づいて、得られたメッカの方向に対向し、表示部13上にメッカのマーク表示体13Aを点灯表示する動作を行う。」（３頁第５欄３行〜２１行）、
「一方、時計の使用者はブザー音を聞くと、
スイッチ14A〜14Dのうちの所定スイッチ操作により、使用者がいる都市名を入力する。
またこのとき、ホール素子方位計32からは、腕時計を身につけた使用者の立っている場所の他磁気に応じたパルス信号で出力され、方位演算回路33に与えられているので、方位演算回路33はこのパルス信号から北を表わす方位データｄを算出し、方位演算回路31に与えている。
そこで前記拝礼時刻が報知されたとき、方位演算回路31は前記方角算出命令ｃ、方位データｄ、都市データｅからメッカの方向を算出し、メッカマーク表示命令ｆを発生する。そしてそれを表示駆動回路26を介し表示装置27に与えるので、表示部13上の複数のマーク表示体13Aのうち、メッカの方向を向いた１つのマーク表示体13Aが選択されて点灯表示される。」（３頁第５欄４０行〜第６欄１７行）、
　
（３）同じく特開２００１−２７２２３４号公報（以下「刊行物３」という。）には、以下の記載がある。
　
　ア　「【０００１】
【発明が属する技術分野】本発明は汎用地球測位システム（ＧＰＳ）を利用した電子方位計，及び簡易ナビゲータ装置に関する。」、
「【０００６】
【実施例】本発明の実施例を、図１〜３を用いて説明する。図１および図２は本発明の具体的実施例を示す。また図３は本発明の構成ブロック図を示す。本発明の電子方位計は大きくはＧＰＳレシーバ部とメイン制御部に分かれる。ＧＰＳレシーバ部では、３個，最低２個のＧＰＳ衛星からの軌道情報，時間データを受信しそれを現在地の緯度，経度データに演算する。又このＧＰＳレシーバ部は緯度，経度データをシリアルＩ／Ｆを用い出力する。
【０００７】メイン制御部の入力部は、このＧＰＳデータと複数個のＳＷ、及び内部に持つ地磁気センサの出力の三点のみである。そして地磁気センサはＴＭＦ素子を用いており、磁北を基準とした絶対方位角を電気的に出力する。メイン制御部の出力部は、ＬＣＤ表示器とＢＵＺＺＥＲの２点のみの簡便な構造である。
【０００８】方位角検出の流れを図３に示す。まずＧＰＳレシーバの測定により、現在地の緯度，経度データを得る。目標位置の緯度，経度データをメイン制御部の“ＥＥＰＲＯＭ”より得る。“ＥＥＰＲＯＭ”は電気的に書き換え可能であり、目標位置の補正，新規設定も容易に行うことが可能となる。次に地磁気センサの出力より、現在向いている方角が磁北に対し何度の方位角かを検出する。そして現在地と目標位置の緯度，経度データより、現在地から目標位置への方位角及び距離を算出する。この算出式は球面三角法，ガウス式，ヒューベニの式等が広く用いられている。磁北の角度と目標位置への角度の合算により、どの方向を向けば正確に目標位置に向かったことになるかがわかる。
【０００９】図１および図２を用いて具体的に使用方法を示す。図１は方位表示部にＬＣＤ又はＥＬを使用したタイプである。そして図２は方位表示部に２４個のＬＥＤを使用したタイプである。
電源スイッチ（１）のＯＮによりＧＰＳによる現在位置の緯度，経度データ測定が開始される。これにより現在位置の緯度，経度データを検出後、目標位置の緯度，経度データを制御部内のメモリ“ＥＥＰＲＯＭ”より取り出す。電源（１）のスイッチＯＮ時の目標位置はデフォルトとして“Ａ”ＳＷ：メッカに設定されている。ＣＰＵは現在位置と目標位置：メッカの緯度，経度データより、現在位置のメッカに対する方位角と距離を計算する。又、地磁気センサの出力より、ＣＰＵは現在方位計が向いている方向が、北に対して何度の方位角かを検出する。さらに北に対する現在位置の方位角と、ＧＰＳによる目標位置への方位角を合算し、現在位置からメッカへの正確な方位角を算出する。この算出結果を用いて、方位表示部に方位角に相当する角度が教示される。
　
　イ　図１から、方位表示部には、Ｎ、Ｅ、Ｗ、Ｓの記号、すなわちコンパス方位点とともに、ＴＧと記載された方位が表示されることがみてとれ、上記アに照らすと、ＴＧと記載された方位は、メッカの方向を示すことが明らかである。
 　 
４　引用発明
　上記３（１）アないしウ及びオによれば、刊行物１には、次の発明が記載されているものと認められる。
　
「人工衛星からの情報を利用して自分の現在位置の緯度、経度、海抜を測定するＧＰＳ現在位置測定部と、緯度、経度の位置データに対応した都市名を記憶している都市名情報抽出部と、地磁気を検出して方位を測定する磁気コンパス方位測定部と、時刻を計時する時計回路部を有し、前記ＧＰＳ現在位置測定部で得られた現在位置のデータを基に、イスラム教徒の５回の礼拝時刻を所定の規則により計算する礼拝時刻算出手段と、前記算出した礼拝時刻を表示する礼拝時刻表示手段と、前記算出した礼拝時刻の所定時間前に、礼拝の時刻に近づいたことを報知する礼拝時刻事前報知手段と、前記ＧＰＳ現在位置測定部及び前記磁気コンパス方位測定部で得られた現在位置のデータ及び方位データを基に、現在の位置からのサウジアラビアのメッカの方角を求めるメッカ方角算出手段と、前記求めたメッカの方角を表示するメッカ方角表示手段と、緯度、経度の位置データに対応した都市名を記憶している都市名情報抽出部を備えたイスラム礼拝用電子装置を組み合わせた携帯電話であって、
　該携帯電話は、ＧＰＳ用アンテナ、携帯電話用アンテナ、液晶表示画面、礼拝時間表示キー、ＧＰＳデータ読込キー及び携帯電話が通常備えるキーボード部を備え、
　前記礼拝時間表示キーを押すと、液晶表示画面が携帯電話用画面からイスラム礼拝用画面に切り替えられ、前記イスラム礼拝用画面には、メッカの方向表示部、現在位置表示部、日付と時刻表示部及び礼拝時刻表示部が表示され、前記メッカの方向表示部には、メッカの方向を示すメッカの方向指示マークが表示され、
　現在の時刻をセットした場合や、前記ＧＰＳデータ読込キーを押した場合にＧＰＳ現在位置測定部が起動し、現在位置の緯度、経度、海抜のデータが読み込まれ、得られた現在位置のデータを基に、都市名情報抽出部を使用して該当する位置の都市名が現在位置表示部に表示され、
　該現在位置のデータを基に礼拝時刻が求められて礼拝時刻表示部に表示され、
　前記磁気コンパス方位測定部から得られる方位データから、前記イスラム礼拝用電子装置の現在の向きのデータが求められ、
　前記メッカ方角算出手段により、前記イスラム礼拝用電子装置の現在の向きのデータ、前記現在位置の緯度、経度のデータ、及び、あらかじめ記憶しているメッカの緯度、経度のデータからメッカの方角が求められ、
　前記メッカ方角表示手段により、メッカの方向指示マークを、常にメッカの方向を指示するように表示する、携帯電話。」（以下「引用発明」という。）
　
５　対比
 　本願発明と引用発明とを対比する。
　
（１）引用発明の「携帯電話」は、本願発明の「携帯端末機」に相当する。
 　 
（２）引用発明の「人工衛星からの情報を利用して自分の現在位置を測定するＧＰＳ現在位置測定部」は、携帯端末機に位置情報を入力する手段である限りにおいて、本願発明の「キーボード部」と一致する。
 　 
（３）引用発明の「礼拝時間表示キー」、「ＧＰＳデータ読込キー」及び「携帯電話が通常備えるキーボード」は、本願発明の「制御命令を入力するキーボード部」に相当する。
 　 
（４）引用発明が、各構成要素を制御する制御部を備えることは、当業者に自明である。
　そして、引用発明は、礼拝時間表示キーを押すと、液晶表示画面が携帯電話用画面からイスラム礼拝用画面に切り替えられ、メッカ方角算出手段によりメッカの方角が求められるものであるから、前記制御部は、本願発明の「位置情報、制御命令を入力し、その後解析し、前記携帯端末機の各機能部を監視（ｍｏｎｉｔｏｒ）及び制御することで、メッカ（Ｍｅｃｃａ）方向を演算して出力する制御部」に相当する。
 　 
（５）引用発明の「都市名情報抽出部」は、本願発明の「『地名別位置情報』『を記録、保存、及び出力するメモリ部』」に相当する。
 　 
（６）引用発明は、「あらかじめ記憶しているメッカの緯度、経度のデータからメッカの方角が求められ」るものであるから、本願発明の「メッカ位置情報を記録、保存、及び出力するメモリ部」を備えていることは明らかである。
　
（７）引用発明の「地磁気を検出して方位を測定する磁気コンパス方位測定部」は、本願発明の「前記制御部の制御によって現在位置の地磁気をリアルタイム測定して現在位置における方位情報を演算し、出力する地磁気部」に相当する。
　
（８）引用発明の「メッカ方角算出手段」は、磁気コンパス方位測定部から得られる方位データから求められるイスラム礼拝用電子装置の現在の向きのデータ、現在位置の緯度、経度のデータ、及び、あらかじめ記憶しているメッカの緯度、経度のデータからメッカの方角を求めるものであるから、本願発明の「『前記制御部から入力される現在の位置情報、及びメッカ位置情報を演算してメッカの方向情報を演算し、メッカ方向を出力する方向演算部』、及び、『前記地磁気部で演算した現在位置における前記方位情報、及び前記方向演算部で演算したメッカ方向情報を入力し、コンパス方位点に従った動的情報にメッカ方向を付加して出力するコンパス演算部』」に相当する。
　
（９）引用発明の液晶表示画面は、「携帯電話用画面」及び「イスラム礼拝用画面」を表示するものであって、「メッカの方向指示マーク」を表示するものであるから、メッカ方向及び携帯端末機の運用情報を表示する点で、本願発明の「表示部」と一致する。
　また、引用発明は、「メッカの方向指示マークを、常にメッカの方向を指示するように表示する」ものであるから、引用発明の液晶表示画面は、メッカ方向をリアルタイム動的表示にて表示する点で、本願発明の「表示部」と一致する。
　
（１０）以上によれば、本願発明と引用発明とは、
「　携帯端末機に位置情報を入力する手段と、制御命令を入力するキーボード部と、
　前記キーボード部から制御命令を入力し、その後解析し、前記携帯端末機の各機能部を監視（ｍｏｎｉｔｏｒ）及び制御することで、メッカ（Ｍｅｃｃａ）方向を演算して出力する制御部と、
　前記制御部の制御によって地名別位置情報及びメッカ位置情報を記録、保存、及び出力するメモリ部と、
　前記制御部の制御によって現在位置の地磁気をリアルタイム測定して現在位置における方位情報を演算し、出力する地磁気部と、
　前記制御部から入力される現在の位置情報、及びメッカ位置情報を演算してメッカの方向情報を演算し、メッカ方向を出力する方向演算部と、
　前記地磁気部で演算した現在位置における前記方位情報、及び前記方向演算部で演算したメッカ方向情報を入力し、コンパス方位点に従った動的情報にメッカ方向を付加して出力するコンパス演算部と、
　前記制御部の制御によってメッカ方向の表示、及び携帯端末機の運用情報を表示する表示部とを含んで構成され、
　前記表示部は、前記制御部の制御によってメッカ方向をリアルタイム動的表示にて表示する携帯端末機のメッカ方向コンパス表示装置。」（以下「本願発明」という。）。
である点で一致し、以下のアないしウの点で相違するものと認められる。 
 　 
　ア　携帯端末機に位置情報を入力する手段が、本願発明は、キーボード部であるのに対し、引用発明は、「人工衛星からの情報を利用して自分の現在位置の緯度、経度、海抜を測定するＧＰＳ現在位置測定部」である点（以下「相違点１」という。）。
　
　イ　本願発明は、電子地図情報を記録、保存、及び出力するメモリ部を含むのに対し、引用発明は、そのようなメモリ部を含むのかどうか不明である点（以下「相違点２」という。）。
　
　ウ　本願発明は、表示部が、メッカ方向を相対的固定方位にて表示するか、又はリアルタイム動的コンパス方位点表示にて表示するのに対し、引用発明は、メッカの方向指示マークを、常にメッカの方向を指示するように表示する点（以下「相違点３」という。）。
　
（１１）要すれば、本願発明と引用発明とは、現在の位置情報、現在位置における方位情報及びメッカの位置情報に基づいてメッカの方向をリアルタイムで携帯端末機に表示する技術である点で共通するものであり、両者は、携帯端末機に位置情報を入力する手段（相違点１）、電子地図情報を記憶するメモリ部の有無（相違点２）、メッカ方向の表示の態様（相違点３）が相違するものである。
 　 
６　判断 
（１） 相違点１について
　ア　前記３（２）によれば、刊行物２には、メッカの方角を表示する電子時計において、スイッチ14A〜14D等からなるキー入力回路34の所定スイッチの操作によって、時計の使用者のいる都市を指定する技術、すなわち現在位置の情報を入力する技術が記載されているものと認められる。
　そして、引用発明における、「携帯電話が通常備えるキーボード部」は、種々の入力を行うためのスイッチといえるものであるから、携帯端末機に位置情報を入力する手段として、ＧＰＳ現在位置測定部に代えてキーボード部を用い、相違点１に係る本願発明の構成とすることは、当業者が容易になし得る程度のことというべきである。
　
　イ　なお付言すれば、本願明細書には、「しかしながら、このような従来のシステムにおいては、比較的容積が大きくて価格の高いＧＰＳ及び地磁気センサを利用するため、製品が大きくなって、生産性及び費用が高価になることで、普及が活性化されないという問題点があった。」（【００１０】）との記載があるところ、刊行物２は、昭和６１年に出願された実用新案登録出願についての実用新案公報であり、刊行物２記載の上記技術は、ＧＰＳによって現在の位置情報を得る技術が一般的なものでなかった時点のものであって、技術的な進展という観点からみれば、ＧＰＳによって現在の位置情報を得る技術の前段階に位置付けられるものというべきである。
　してみると、本願発明において、ＧＰＳを利用せずにキーボード部から位置情報を入力する点に格別の発明があると評価することは、到底できない。
 　 
（２）相違点２について
　電子地図を表示することは、携帯端末機が通常備える機能であり（例えば、原査定の拒絶の理由に引用した、特開２００１−１５９５３８号公報１頁の【要約】の欄、同じく特開２００１−２８９６４６号公報１頁の【要約】の欄を参照、）、電子地図を表示するために電子地図情報を記録、保存、及び出力するメモリ部を備えることは自明であるから、引用発明において、電子地図情報を記録、保存、及び出力するメモリ部を設け、相違点２に係る本願発明の構成とすることは、当業者が適宜なし得る程度のことである。
　
（３）相違点３について
　ア　前記３（１）オによれば、刊行物１には、メッカの方角を表示する卓上時計において、メッカの方向表示部のメッカの方向指示マークは３６０度回転し、東西南北のどの方向にメッカがあるかを指示する技術、すなわち、メッカ方向を相対的固定方位にて表示する技術が記載されているものと認められる。
　
　イ　前記（３）ウによれば、刊行物３には、現在位置の方位角と、ＧＰＳによる目標位置への方位角を合算し、現在位置からメッカへの正確な方位角を算出し、コンパス方位点とともにメッカの方向を表示する技術、すなわち、メッカ方向をリアルタイム動的コンパス方位点表示にて表示する技術が記載されているものと認められる。
　
　ウ　してみると、引用発明において、表示部が、「メッカ方向を相対的固定方位にて表示するか、又はリアルタイム動的コンパス方位点表示にて表示する」とする、相違点３に係る本願発明の構成とすることは、メッカ方向の表示の態様として、当業者が適宜採用し得る程度のことである。
　
（４）効果
　本願発明の奏する効果についてみても、刊行物１ないし刊行物３の記載事項から当業者が予測できる範囲を超えるほどの格別顕著なものとは認められない。
　
（５）請求人の主張について
　請求人は、平成２１年８月１２日付け意見書において、請求項１には、「・・・前記制御部の制御によって地名別位置情報、電子地図情報、及びメッカ位置情報を記録、保存、及び出力するメモリ部・・・」とあり、本願発明が地名入力、電子地図指定の複数の入力機能を備えていることは自明であるとして、本願発明は、地名入力、電子地図指定による複数の現在位置入力手段がある旨主張する。
　しかし、請求項１においては、位置情報の入力について「携帯端末機に位置情報、制御命令を入力するキーボード部」と記載されるにすぎないのであって、「メモリ部」は、単に「制御部の制御によって地名別位置情報、電子地図情報、及びメッカ位置情報を記録、保存、及び出力する」とされるにとどまり、これをもって、本願発明が、地名入力、電子地図指定による複数の現在位置入力手段を備えることが自明であるとは到底いえず、本願発明が、地名入力、電子地図指定による複数の現在位置入力手段を備えるものに特定して解することはできない。
　請求人の上記主張は、特許請求の範囲の記載に基づかないものであって、根拠を欠くから、採用できない。
 　 
７　むすび
　以上の検討によれば、本願発明は、刊行物１ないし刊行物３にそれぞれ記載された発明に基づいて当業者が容易に発明をすることができたものであるから、特許法第２９条第２項の規定により特許を受けることができない。
　よって、結論のとおり審決する。